(57)【要約】      （修正有）【課題】コンピュータ周辺装置ケーブルのフック具を提供する。【解決手段】コンピュータ周辺装置ケーブルのフック具は、フック具本体１が、前端面、後端面、第１側面、第２側面を含み、それらは、それぞれ該前端面と後端面の間に配置され、少なくとも１つの集線面は、底端に成型され、順に切り口及び該切り口と相通する集線凹溝を区分けし、２つの外側縁８０１を有し、該２つの外側縁８０１の間隔は、集線凹溝の最大値より小さく、第１結合部９０は、該前端面から突出して形成され、第２結合部１００は、該後端面に内凹して成型され、且つ該第２結合部と該第１結合部の形状は、凹凸が合わさる。コンピュータ周辺装置ケーブルのフック具の使用時、複数のコンピュータ周辺装置ケーブルのフック具の集線凹溝にケーブルの各段落を貫通させ、第１、第２結合部が相互に嵌合することでケーブルを集中し、ケーブルが相互に巻きつき絡むことがないようにする。【選択図】図１
0003150129.tif 000002
【実用新案登録請求の範囲】
【請求項１】
少なくとも１つのフック具本体を含み、該本体は、前端面と、後端面と、第１側面と、第２側面と、上端と、底端と、少なくとも１つの集線面と、第１結合部と、第２結合部と、を含み、そのうち、
該第１側面及び第２側面は、それぞれ該前端面と後端面の間に配置され、
該集線面は、底端の該前端面と後端面の間に成型され、且つ２つの外集線面と１つの内集線面を含み、そのうち、該２つの外集線面は、それぞれ底端から上端方向に向けて徐々に近づくように伸出し、切り口を区分け、該内集線面は、該２つの外集線面の間に第１側面から第２側面に延伸し、該内集線面は、集線凹溝を区分けし、該集線凹溝は、該切り口と相互に連通し、該内集線面が有する２つの外側縁は、それぞれ該２つの外集線面と相互に接続し、且つ該２つの外側縁の間隔は、集線凹溝の最大値より小さく、
該第１結合部は、該前端面から突出して形成され、
該第２結合部は、該後端面に内凹して成型され、且つ該第２結合部と該第１結合部の形状は、凹凸が合わさるようになるコンピュータ周辺装置ケーブルのフック具。
【請求項２】
前記フック本体は、少なくとも２つのコンピュータ周辺装置ケーブルのフック具ユニット及び少なくとも２つの集線面を含み、そのうち、
該コンピュータ周辺装置ケーブルのフック具ユニットは、該前端面、結合面、第１側面前段、第２側面前段、前端面中央に成型する第１結合部及び結合面中央に成型する第３結合部を有し、
もう１つのコンピュータ周辺装置ケーブルのフック具は、該後端面、結合面、第１側面後段、第２側面後段、結合面中央に成型する第４結合部および後端面中央に成型する第２結合部を有し、そのうち、該第１側面後段と第１側面前段は、該第１側面を形成し、該第２側面後段と該第２側面前段は、該第２側面を形成し、第４結合部は、凹溝であり、該第３結合部と分離して相互に固定されることができ、
該少なくとも２つの集線面は、それぞれコンピュータ周辺装置ケーブルのフック具本体１の底端のコンピュータ周辺装置ケーブルのフック具ユニットの前端面と結合面の間及び該後端面と結合面の間に配置される請求項１記載のコンピュータ周辺装置ケーブルのフック具。
【請求項３】
前記内集線面が第１側面から第２側面の方向と軸とする円柱面である請求項１又は２記載のコンピュータ周辺装置ケーブルのフック具。
【請求項４】
前記外集線面が湾曲弧面を呈する請求項１又は２記載のコンピュータ周辺装置ケーブルのフック具。
【請求項５】
前記外集線面が湾曲弧面を呈する請求項３記載のコンピュータ周辺装置ケーブルのフック具。
【請求項６】
前記第１結合部断面が円形である請求項１又は２記載のコンピュータ周辺装置ケーブルのフック具。
【請求項７】
前記第１結合部断面が矩形である請求項１又は２記載のコンピュータ周辺装置ケーブルのフック具。
【請求項８】
フック具本体を含み、該本体の軸心線上の前端面が第１結合部を設け、該本体の該軸心線上の後端面が第２結合部を設け、該フック具本体は、集線凹溝を更に有し、且つ該集線凹溝の軸心線と該本体の軸心線が相互に垂直であるコンピュータ周辺装置ケーブルのフック具。
【請求項９】
少なくとも２つのフック具本体を含み、該本体は、第１結合部と第２結合部を設け、該第１結合部の形式は、該第２結合部の形式に組み合わさり、且つそのうち、フック具本体の結合部は、もう１つのフック具本体の結合部と嵌合し、該本体の底端は、切り口を設け、該切り口内に更に集線凹溝を設け、ケーブルをその間に嵌合するコンピュータ周辺装置ケーブルのフック具。
【請求項１０】
前記第１結合部と前記第２結合部の軸心線は、該集線凹溝の軸心線と相互に垂直である請求項９記載のコンピュータ周辺装置ケーブルのフック具。
【考案の詳細な説明】
【技術分野】
【０００１】
本考案は、コンピュータ周辺装置ケーブルのフック具に関し、特に、ケーブルの絡まりを防止し、ケーブルを集中する機能特性を有するケーブルを収納整理するコンピュータ周辺装置ケーブルのフック具に関する。
【背景技術】
【０００２】
現在の技術は、ケーブルの整理に対し、多くは、ケーブルを複数回折った後、ケーブル自身の末端を利用し、相互に巻きつけ、折り合わせたケーブルを固定し、これは、ケーブル自身の凹み、磨耗等の回復できない破壊を招く可能性があり、且つケーブルを折り合わせ固定する過程中、相互に重ね合わせることにより巻きつき絡まることがある。
【０００３】
現有技術は、また挟み具を使用し折り合わせたケーブル全体を挟むが、または、弾性体を使用し、折り合わせたケーブルを束縛するが、前記ケーブルを解く時、ケーブル自身が回復できない破壊を生じはしないものの、ケーブルが依然として相互に重なり合い巻きつき絡まることがあり、使用上不便であり、弾性体の部分は、ゴム等であり、保存状態が悪くなり容易に断裂を生じ、且つそれ自身の材質が高温によりケーブル上に粘着し易く、ケーブル自身の外観を破壊する。
【先行技術文献】
【特許文献】
【０００４】
【特許文献１】特開２００２−２２２０２３号公報
【考案の概要】
【考案が解決しようとする課題】
【０００５】
本考案の目的は、ケーブルの収納整理に便利な効果を有するコンピュータ周辺装置ケーブルのフック具を提供することである。
【課題を解決するための手段】
【０００６】
本考案が提供するコンピュータ周辺装置ケーブルのフック具は、少なくとも１つのフック具本体を含み、該本体は、前端面と、後端面と、第１側面と、第２側面と、上端と、底端と、少なくとも１つの集線面と、第１結合部と、第２結合部と、を含み、そのうち、
該第１側面及び第２側面は、それぞれ該前端面と後端面の間に配置される。
【０００７】
該集線面は、底端の該前端面と後端面の間に成型され、且つ２つの外集線面と１つの内集線面を含み、そのうち、該２つの外集線面は、それぞれ底端から上端方向に向けて徐々に近づくように伸出し、切り口を区分けする。該内集線面は、該２つの外集線面の間に第１側面から第２側面に延伸し、該内集線面は、集線凹溝を区分けし、該集線凹溝は、該切り口と相互に連通し、該内集線面が有する２つの外側縁は、それぞれ該２つの外集線面と相互に接続し、且つ該２つの外側縁の間隔は、集線凹溝の最大値より小さい。
【０００８】
該第１結合部は、該前端面から突出して形成される。
該第２結合部は、該後端面に内凹して成型され、且つ該第２結合部と該第１結合部の形状は、凹凸が合わさるようになる。
【０００９】
本考案は、下記の特徴を有する。
（１）少なくとも１つのフック具本体を含み、該本体は、前端面と、後端面と、第１側面と、第２側面と、上端と、底端と、少なくとも１つの集線面と、第１結合部と、第２結合部と、を含み、そのうち、
該第１側面及び第２側面は、それぞれ該前端面と後端面の間に配置され、
該集線面は、底端の該前端面と後端面の間に成型され、且つ２つの外集線面と１つの内集線面を含み、そのうち、該２つの外集線面は、それぞれ底端から上端方向に向けて徐々に近づくように伸出し、切り口を区分け、該内集線面は、該２つの外集線面の間に第１側面から第２側面に延伸し、該内集線面は、集線凹溝を区分けし、該集線凹溝は、該切り口と相互に連通し、該内集線面が有する２つの外側縁は、それぞれ該２つの外集線面と相互に接続し、且つ該２つの外側縁の間隔は、集線凹溝の最大値より小さく、
該第１結合部は、該前端面から突出して形成され、
該第２結合部は、該後端面に内凹して成型され、且つ該第２結合部と該第１結合部の形状は、凹凸が合わさるようになるコンピュータ周辺装置ケーブルのフック具。
（２）前記フック本体は、少なくとも２つのコンピュータ周辺装置ケーブルのフック具ユニット及び少なくとも２つの集線面を含み、そのうち、
該コンピュータ周辺装置ケーブルのフック具ユニットは、該前端面、結合面、第１側面前段、第２側面前段、前端面中央に成型する第１結合部及び結合面中央に成型する第３結合部を有し、
もう１つのコンピュータ周辺装置ケーブルのフック具は、該後端面、結合面、第１側面後段、第２側面後段、結合面中央に成型する第４結合部および後端面中央に成型する第２結合部を有し、そのうち、該第１側面後段と第１側面前段は、該第１側面を形成し、該第２側面後段と該第２側面前段は、該第２側面を形成し、第４結合部は、凹溝であり、該第３結合部と分離して相互に固定されることができ、
該少なくとも２つの集線面は、それぞれコンピュータ周辺装置ケーブルのフック具本体１の底端のコンピュータ周辺装置ケーブルのフック具ユニットの前端面と結合面の間及び該後端面と結合面の間に配置される（１）記載のコンピュータ周辺装置ケーブルのフック具。
（３）前記内集線面が第１側面から第２側面の方向と軸とする円柱面である（１）又は（２）記載のコンピュータ周辺装置ケーブルのフック具。
（４）前記外集線面が湾曲弧面を呈する（１）又は（２）記載のコンピュータ周辺装置ケーブルのフック具。
（５）前記外集線面が湾曲弧面を呈する（３）記載のコンピュータ周辺装置ケーブルのフック具。
（６）前記第１結合部断面が円形である（１）又は（２）記載のコンピュータ周辺装置ケーブルのフック具。
（７）前記第１結合部断面が矩形である（１）又は（２）記載のコンピュータ周辺装置ケーブルのフック具。
（８）フック具本体を含み、該本体の軸心線上の前端面が第１結合部を設け、該本体の該軸心線上の後端面が第２結合部を設け、該フック具本体は、集線凹溝を更に有し、且つ該集線凹溝の軸心線と該本体の軸心線が相互に垂直であるコンピュータ周辺装置ケーブルのフック具。
（９）少なくとも２つのフック具本体を含み、該本体は、第１結合部と第２結合部を設け、該第１結合部の形式は、該第２結合部の形式に組み合わさり、且つそのうち、フック具本体の結合部は、もう１つのフック具本体の結合部と嵌合し、該本体の底端は、切り口を設け、該切り口内に更に集線凹溝を設け、ケーブルをその間に嵌合するコンピュータ周辺装置ケーブルのフック具。
（１０）前記第１結合部と前記第２結合部の軸心線は、該集線凹溝の軸心線と相互に垂直である（９）記載のコンピュータ周辺装置ケーブルのフック具。
【考案の効果】
【００１０】
本考案のコンピュータ周辺装置ケーブルのフック具は、集線凹溝及び第１結合部及び第２結合部を形成し、相互に係合する構造であることができ、本考案のコンピュータ周辺装置ケーブルのフック具の集線凹溝は、ケーブルの各段を貫通するように設け、該第１、第２結合部は、相互に係合し、順にケーブルを集中し、ケーブルが相互に巻きつき絡むことがないので、ケーブル収納効率を増進する効能を有し、また、その前後端面は様々な幾何造型を呈することができ、または可愛い、精密な、趣向性のある装飾板を有することができるので、同時にケーブルを装飾する効果を兼ね備えることができ、コンピュータ周辺装置ケーブルのフック具の造型変化を増加し、材質の組み合わせ運用の面白みを拡張する。
【図面の簡単な説明】
【００１１】
【図１】本考案の第１の好適な実施例の立体外観図である。
【図２】本考案の図１の好適な実施例の側面図である。
【図３】本考案の図１の好適な実施例のもう１つの側面図である。
【図４】本考案の第２の好適な実施例の側面図である。
【図５】本考案の第３の好適な実施例の側面図である。
【図６】本考案の第４の好適な実施例のコンピュータ周辺装置ケーブルのフック具の立体外観分解図である。
【図７】本考案の第４の好適な実施例のコンピュータ周辺装置ケーブルのフック具の側面図である。
【図８】本考案の第１の好適な実施例の操作説明図である。
【考案を実施するための形態】
【００１２】
図１、図２、図３に示すように、本考案のコンピュータ周辺装置ケーブルのフック具は、少なくとも１つのフック具本体１を有し、それは、縦方向の軸心線（図示せず）上に前端面１０、後端面２０、第１側面３０、第２側面４０、上端５０、底端６０、少なくとも１つの集線面、第１結合部９０および第２結合部１００を設ける。
【００１３】
該前端面１０と該後端面２０は相互に対応する。
【００１４】
該第１側面３０及び第２側面４０は、それぞれ該前端面１０と後端面２０の間に配置され、交互に対応する。
【００１５】
該集線面は、底端６０の該前端面１０と後端面２０の間に成型され、２つの外集線面７０と１つの内集線面８０を含む。
【００１６】
該２つの外集線面７０は、湾曲弧面を呈し、それぞれ底端６０から上端５０方向に徐々に近づくように延伸し、切り口７１を区分けし、そのうち、該２つの外集線面７０は、それぞれ底端６０から前端面１０、後端面２０と接続する箇所まで延伸する。
【００１７】
該内集線面８０は、該２つの外集線面７０の間に配置され、第１側面３０から第２側面４０へ延伸し、好適には、円柱面を呈し、該円柱面は、第１側面３０から第２側面４０の方向を軸とし、該内集線面８０は、集線凹溝８１を区分けし、該集線凹溝８１は、該切り口７１と相互に連通し、該内集線面８０は、２つの外側縁８０１を有し、それぞれ該２つの外集線面７０と相互に連通し、且つ該２つの外側縁８０１の間隔は、集線凹溝８１の最大値より小さくし、ケーブルを該切り口７１に進入させた後、ケーブルと内集線面８０を緊密に寄り合わせ、且つ該２つの外側縁８０１によって係止し、該集線凹溝８１内に制限し、コンピュータ周辺装置ケーブルのフック具１が滑り抜けることがない。注意すべきことは、該集線凹溝８１の軸心線（図示せず）は、この時、該フック具本体１の軸心線上の前端面１０及び後端面２０と相互に垂直となることである。
【００１８】
図１、図４、図５において、該第１結合部９０，９０Ａ，９０Ｂは、該前端面１０中央から突起して凸部を形成し、その断面は、円形（図４参照）、方形（図５参照）または任意の非対称な幾何形状であることができる。
【００１９】
該第２結合部１００は、該後端面２０中央箇所に内凹成型した凹溝であり、且つ該第２結合部１００の形式は、該第１結合部９０，９０Ａ，９０Ｂの形式と相互に合い、相互に嵌合する。具体的に言えば、形状の凹凸がしっかり合わさり、例えば、断面が円形、方形または任意の非対称の幾何形状であることができる。
【００２０】
本考案の好適実施例中、該前端面１０及び後端面２０の少なくとも１つの周縁は、任意の幾何形状であることができ、例えば、人物造型の輪郭であることができ、図４を参考でき、または、図５に示すように、上端が円形を呈し、底端が矩形を呈する幾何形状であることができる。
【００２１】
図６において、本考案のコンピュータ周辺装置ケーブルのフック具１を使用時、収納整理するケーブル１１０の各線は、それぞれ各コンピュータ周辺装置ケーブルのフック具本体１の切り口７１からその集線凹溝８１内に進入し、コンピュータ周辺装置ケーブルのフック具１の第１結合部９０ともう１つのコンピュータ周辺装置ケーブルのフック具本体１の第２結合部１００が相互に係合し、コンピュータ周辺装置ケーブルのフック具１を相互に固定させ、ケーブル１１０の各段の間隔を短縮し、該ケーブルの収納整理の目的を達成し、そのうち、該ケーブルは、マウス等の電子製品の接続線であることができる。この時、該フック具本体１は、該底部６０が作業平面の上に直立する。
【００２２】
また、本考案が提供するコンピュータ周辺装置ケーブルのフック具は、図７、図８に示すように、該コンピュータ周辺装置ケーブルのフック具本体１が少なくとも２つのコンピュータ周辺装置ケーブルのフック具ユニット１Ａ，１Ｂ及び少なくとも２つの集線面を有し、そのうち、該コンピュータ周辺装置ケーブルのフック具ユニットＡ１は、該前端面１０、結合面２０Ａ、第１側面前段３０Ａ、第２側面前段４０Ａ、前端面１０中央に成型する第１結合部９０および結合面２０Ａ中央に成型する第３結合部１００Ａを有し、該第３結合部１００Ａは、凸部であり、その断面は円形、方形または任意の幾何形状であることができる。
【００２３】
もう１つのコンピュータ周辺装置ケーブルのフック具１Ｂは、該後端面３０、結合面１０Ｂ、第１側面後段３０Ｂ、第２側面後段４０Ｂ、結合面１０Ｂ中央に成型する第４結合部１００Ｂおよび後端面２０中央に成型する第２結合部１００を有し、そのうち、該第１側面後段３０Ｂと第１側面前段３０Ａは、該第１側面３０を形成し、該第２側面後段４０Ｂと該第２側面前段４０Ａは、該第２側面４０を形成し、第４結合部１００Ｂは、凹溝であり、それは、該第３結合部１００Ａと分離して相互に固定されることができる。
【００２４】
該少なくとも２つの集線面は、それぞれコンピュータ周辺装置ケーブルのフック具本体１の底端６０のコンピュータ周辺装置ケーブルのフック具ユニット１Ａ，１Ｂの前端面１０と結合面２０Ａの間及び該後端面２０と結合面１０Ｂの間に配置される。
【００２５】
該２つの外集線面７０は、湾曲弧面を呈し、それぞれコンピュータ周辺装置ケーブルのフック具ユニット１Ａ，１Ｂの底端６０から上端５０向きに徐々に近づくように延伸し、切り口７１を区分けする。
【００２６】
該内集線面８０は、該２つの外集線面７０の間に配置され、第１側面３０から第２側面４０へ延伸し、好適には、円柱面を呈し、該円柱面は、第１側面３０から第２側面４０の方向を軸とし、該内集線面８０は、集線凹溝８１を区分けし、該集線凹溝８１は、該切り口７１と相互に連通し、該内集線面８０は、２つの外側縁８０１を有し、それぞれ該２つの外集線面７０と相互に連通し、且つ該２つの外側縁８０１の間隔は、集線凹溝８１の最大値より小さくし、ケーブルを該切り口７１に進入させた後、ケーブルと内集線面８０を緊密に寄り合わせ、且つ該２つの外側縁８０１によって係止し、該集線凹溝８１内に制限し、コンピュータ周辺装置ケーブルのフック具１が滑り抜けることがない。
【００２７】
上記構造に基づき、本考案のコンピュータ周辺装置ケーブルのフック具１は、ケーブル１１０をコンピュータ周辺装置ケーブルのフック具本体１の集線凹溝８１内に収納でき、また、コンピュータ周辺装置ケーブルのフック具本体１の第１結合部９０及び第２結合部１００の存在により、それらの間の組み合わせがコンピュータ周辺装置ケーブルのフック具本体１ともう１つのコンピュータ周辺装置ケーブルのフック具１を順に係合し、ケーブル１１０が巻きつくことを回避し、コンピュータ周辺装置ケーブルのフック具本体１の前端面１０または後端面２０が任意の造型に製造できることに基づき、本考案のコンピュータ周辺装置ケーブルのフック具本体１は、ケーブル１１０を収納整理する機能を有し、整理したケーブル１１０が巻きつかず、その前後端面１０，２０は、多種の造型を有することができ、造型美観の多様な効果及び利点を有することができる。
【符号の説明】
【００２８】
１  フック具本体
１０  前端面
２０  後端面
３０  第１側面
４０  第２側面
５０  上端
６０  底端
７０  外集線面
７１  切り口
８０  内集線面
８１  集線凹溝
８０１  外側縁
９０  第１結合部
１００  第２結合部
１Ａ  コンピュータ周辺装置ケーブルのフック具
２０Ａ  結合面
３０Ａ  第１側面前段
４０Ａ  第２側面前段
１００Ａ  第３結合部
１Ｂ  コンピュータ周辺装置ケーブルのフック具ユニット
１０Ｂ  結合面
３０Ｂ  第１側面後段
４０Ｂ  第２側面後段
１００Ｂ  第４結合部
１１０  ケーブル
【図１】
0003150129.tif 000003
【図２】
0003150129.tif 000004
【図３】
0003150129.tif 000005
【図４】
0003150129.tif 000006
【図５】
0003150129.tif 000007
【図６】
0003150129.tif 000008
【図７】
0003150129.tif 000009
【図８】
0003150129.tif 000010